(57)【要約】【課題】表面に一定の向きに傾斜している起毛または植毛をもつ電気暖房毛布において、これと接触する物体の間に発生する相対移動による団塊化、皺の発生を低減し、発熱体同志の接近を回避して局所的な高温化の発生を防止する。【解決手段】電気暖房毛布を構成する布地を複数の領域に分割し、各領域における繊維の傾斜の向きが互いに打ち消し合うように当該複数の領域を対として組み合わせて一片の布地として構成する。【選択図】  図２
2004237028.tif 000002
【特許請求の範囲】
【請求項１】
織布または不織布たる可撓性を有する布地（１）と電気抵抗体たる発熱体（５０）とを備えた電気暖房毛布（１００）であって、当該布地（１）は、その表面から外部に向けて林立する繊維群である立毛（３）を有する立毛領域を備え、少なくとも２個以上の当該立毛領域は、布地（１）の形成する面と略一定の向きの傾斜を有する立毛（３）を有する有傾斜立毛領域（５）であり、個々の有傾斜立毛領域（５）は他の有傾斜立毛領域（５）と対または組をなすよう構成されており、かつ、任意の対または組に属する任意の有傾斜立毛領域（５）は対または組内の相手側たる有傾斜立毛領域（５）が備える立毛（３）の傾斜の向きとは反対の向きに傾斜する立毛（３）を備える有傾斜立毛領域（５）であるところの電気暖房毛布（１００）。
【請求項２】
電気暖房毛布（１００）は、その全部または一部を覆う布製のカバー（１０１）を備えた電気暖房毛布（１００）であるところの請求項１の電気暖房毛布（１００）。
【発明の詳細な説明】
【０００１】
【発明の属する技術分野】
布の表面から外側に向けて林立する繊維群である起毛や植毛などの立毛をもつ布地では、その立毛が布地のなす面と略一定の向きに傾きをもつ場合、布が他の物体と接触する際にはこの傾きに由来する摩擦力の向きの差により布と接触する物体の間に相対移動が発生する。本発明は、ジュール熱を発生する電気抵抗体たる発熱体を備えたいわゆる電気掛け毛布や電気敷き毛布などの電気暖房毛布においてこの相対移動を低減して団塊化による皺の発生を防ぎ、当該電気暖房毛布の局部的な高温化を回避する技術に関する。
【０００２】
【従来の技術】
毛布などの布地はその表面から外側に向けて突出する多数の立毛をもつ。この立毛繊維群は、製造の方法、保存時、使用過程での圧迫などにより布地のなす面に対して垂直ではない一様な向きの傾斜をもつことが多い。この場合、布地と他の物体を接触させておき、両者を互いに押しつける力を作用させ次にこの力を取り除くと、立毛のいわゆる順目の向きに毎回微小な相対移動が発生する。これを繰返すと、布地と接触物体の相対位置は最初の位置から次第に変化してしまう。
【０００３】
可撓性をもつ上掛け型および下敷き型などの電気暖房毛布の場合、布製のカバーや布団などの接触物体との間では前記の相対位置移動現象が発生し、次第に団塊化し皺が発生する。この団塊化による皺の発生は、電気暖房毛布を折畳んで使用する場合と同様に、内部に分散して配置された発熱体同志の接近を招き、この部分が高温化する問題があった。局所的な高温化は低温火傷や電気暖房毛布の破損などの原因となる危険がある。
【０００４】
電気暖房毛布は、その内部に電気抵抗体たる発熱体などの電気部品を備えているので頻繁な洗濯は好ましくなく、汚れ防止用の布製カバーを使用するのが通例である。従来の電気暖房毛布では、前記の相対位置移動現象により電気暖房毛布がカバーの内部で一方に移動して団塊化するのが日常的に経験される。電気暖房毛布とそのカバーを四隅において固定するものもあるが、この方法では両者の四隅における両者の相対位置は維持されるものの、可撓性をもつ電気暖房毛布がカバーの内部において団塊化するのを防止できず、前記の問題は解消されない。
【０００５】
ここで、電気暖房毛布とこれに接触するカバー、敷布、布団などの間に発生する相対移動の機序につき図１により説明する。図１は立毛が一様な向きに傾斜をもつ従来の電気暖房毛布の例をモデル化して示す側面図である。図１において、布地（１）は、その表面から外側に突出するように起毛または植毛された繊維である立毛（３）を備えている。図１中では、多くの繊維の集合である立毛（３）は立毛ａ（３ａ）と立毛ｂ（３ｂ）の２本で代表されて示されている。この立毛ａ（３ａ）、立毛ｂ（３ｂ）は、布製のカバーや布製の布団などの一部分をモデル化した接触物体（４）と接触している。
【０００６】
この接触物体（４）と立毛ａ（３ａ）の接触点の上方位置の部位に下向きの力Ｆが作用した場合の接触物体（４）の形状および位置を一点鎖線で示す。力Ｆが作用すると、立毛ａ（３ａ）の先端と接触物体（４）の間に作用する摩擦力は、立毛ａ（３ａ）の傾斜が増すのに伴い、この摩擦力の反力として立毛ｂ（３ｂ）の先端と接触物体（４）の接触点Ｂに発生する反対向きの摩擦力に抗しつつ接触物体（４）を左方に移動させるよう作用する。点Ａにおける立毛ａ（３ａ）の先端と接触物体（４）の接触点に作用する下向きの力は、点Ｂにおける立毛ｂ（３ｂ）の先端と接触物体（４）の接触点に作用する下向きの力よりも力Ｆの分だけ大きい。かつ、立毛ａ（３ａ）は力Ｆにより押されて傾斜を増す際に接触物体（４）に対していわゆる逆目であるリーディングアームとして機能するが、立毛ｂ（３ｂ）はいわゆる順目であるトレーリングアームとして機能するので、点Ａのおける摩擦係数は一般に点Ｂのそれより大きい。よって、点Ａにおける摩擦力の方が点Ｂにおいて点Ａに発生する摩擦力よりも大きく、点Ａとは点Ｃに、点Ｂは点Ｄに各々移動する。下向きの力Ｆを取除くと立毛ａ（３ａ）の傾斜は元の傾斜角に復帰する。この際、点Ｃにおいて接触物体（４）は立毛ａ（３ａ）の先端から図１の右方に移動させる向きの摩擦力を受け、点Ｄにおいて点Ｃにおける摩擦力の反力である反対向きの摩擦力とは反対向きの摩擦力を立毛ｂ（３ｂ）の先端から受ける。点Ｃと点Ｄに作用する下向きの力は、力Ｆがもはや作用していないので相等しい。この時、立毛ａ（３ａ）は接触物体（４）に対してトレーリングアームとして作用し、立毛ｂ（３ｂ）はリーディングアームとして機能する。前者の摩擦係数は一般に後者より小さいので、右向きの摩擦力は左向きの摩擦力にうち勝つことができない。よって、立毛ａ（３ａ）が元の傾斜角に復しても接触物体（４）は先の位置に戻らず鎖線の位置に留まる。すなわち、接触物体（４）は布地（１）の上を左方に移動する。次に、点Ｂに下向きの力を加えると、この場合も全く同じ理由により接触物体（４）は左方に移動する。すなわち、接触物体（４）のいずれの部位に下向きの力が作用しても接触物体（４）は左方に移動する。ここでいう摩擦係数とは、物性に由来する摩擦係数と接触するもの双方の表面の形状の組合わせに由来する物理的な摩擦係数の両者を併せた概念である。
トレーリング時とリーディング時の摩擦係数の差は、接触物体（４）が布であれば当該布の繊維と立毛部の先端が形状的に引っ掛かりやすいので平滑な表面をもつ素材の場合よりも大きい。
【０００７】
【発明が解決しようとする課題】
本発明は、布地が傾斜した立毛をもつ電気暖房毛布とこれに接触するカバー、敷布、布団などの物体の間に発生する不都合な相対移動を解消または低減することにより、団塊化により発生する皺部位の局所的な高温化の問題を回避することを課題とする。なお、本明細書においては、一般的に電気毛布、電気カーペットなどとと呼び慣わされているものを総称して電気暖房毛布なる用語を用いるが、これを構成する布地は必ずしも紡織上の毛布素材には限定されない。
【０００８】
【課題を解決するための手段】
本発明は、前記の不都合な相対移動を、電気暖房毛布の立毛が傾斜をもつを領域（以下、有傾斜立毛領域という。）を複数の領域に分割し、これらの分割された個々の有傾斜立毛領域を各々の立毛の傾斜の影響が相互に打消しあうように対または組をなすように組合わせて配列する手段により解決する。立毛の傾斜角が一定であれば、原則的には傾斜の向きが反対な等しい面積の領域を対または組として組合わせる。傾斜角、材質、領域内に作用する力の大きさと頻度などの条件が異なる領域を組合わせる場合は、これらを勘案して双方の向きの摩擦力の影響が打消しあうように双方の領域の面積の比や配置を決定する。
【０００９】
図２および図３により本発明の構成と作用を説明する。図２は、本発明になる電気暖房毛布（１００）の例の長手方向中心線における断面を図６中のＳ方向からみた断面図である。図３は、この電気暖房毛布（１００）を図２中のＵ方向から見た上面図である。図２中の太い実線で記された中抜きの矢印は、立毛（３）の先端がその付け根の部分を基準として傾斜している向きを示しており、本明細書中の他の図においても同様である。
【００１０】
まず構成につき説明する。図２および図３において、電気暖房毛布（１００）は、２片の布地である布地Ａ（１Ａ）と布地Ｂ（１Ｂ）を備えている。布地Ａ（１Ａ）と布地Ｂ（１Ｂ）の間にはジュール熱を発生する電気抵抗体たる発熱体（５０）が備えられている。布地Ａ（１Ａ）と布地Ｂ（１Ｂ）は、発熱体（５０）をはさんだ状態で互いに縫合されており、布地Ａ（１Ａ）と布地Ｂ（１Ｂ）の両者を併せた全体が布地（１）を構成している。発熱体（５０）の両端は図中では省略されている電力供給装置に接続されている。本例の電気暖房毛布（１００）は、その外面を覆う布製で袋状のカバー（１０１）を備えている。
【００１１】
布地Ａ（１Ａ）、布地Ｂ（１Ｂ）の全領域は、おのおの、立毛（３ａ）の先端が図２中の右方に移動して傾斜している有傾斜立毛領域ａ（５ａ）と、立毛（３ｂ）の先端が左方に移動して傾斜している有傾斜立毛領域ｂ（５ｂ）の２個の領域により構成されている。有傾斜立毛領域ａ（５ａ）と有傾斜立毛領域ｂ（５ｂ）は対をなしており、両者の面積は相等しく、有傾斜立毛領域ａ（５ａ）の立毛ａ（３ａ）と有傾斜立毛領域ｂ（５ｂ）の立毛ｂ（３ｂ）はその材質、傾角の絶対値、本数は略等しく、かつ、立毛ａ（３ａ）と立毛ｂ（３ｂ）の傾斜の向きは互いに反対の向きを向いている。両領域はもともと裁断された独立した布片であったが、布地Ａ（１Ａ）および布地Ｂ（１Ｂ）のおのおのの中央部位置において縫合されて、おのおの一体として図２中の上側の布地Ａ（１Ａ）と下側の布地Ｂ（１Ｂ）を構成している。ここで、有傾斜立毛領域（５）は、有傾斜立毛領域ａ（５ａ）、有傾斜立毛領域ｂ（５ｂ）などの総称であり、立毛（３）は立毛ａ（３ａ）、立毛ｂ（３ｂ）などの総称である。
【００１２】
次に作用につき説明する。図２において、電気暖房毛布（１００）上のランダムに選定された多数の点おいて、布地Ａ（１Ａ）、布地Ｂ（１Ｂ）とカバー（１０１）をともに挟むような力を繰返し加えたと仮定する。この場合、カバー（１０１）は布地Ａ（１Ａ）、布地Ｂ（１Ｂ）とカバー（１０１）の間には相対移動は殆ど移動しない。
【００１３】
相対移動が発生しない理由としては、以下の２個がある。第１に、ある点に力が加わった場合、当該力点を含まない側の有傾斜立毛領域の立毛群は移動に対して全てリーディングアームとして機能するので、それらのリーディングアームたる立毛群が発生する摩擦による移動を阻止する力が大きく、移動量が小さく抑えられるというミクロ的な理由である。第２に、ある点に力を加えた際にミクロ的に接触物体（４）が移動しても、有傾斜立毛領域ａ（５ａ）と有傾斜立毛領域ｂ（５ｂ）の双方にほぼ等しい回数だけ力を加えれば、全体としては個々のミクロ的な移動が互いに打消し合い、全体としての相対移動が抑えられるというマクロ的な理由である。毛布とカバーの場合には前者の貢献が大きいことがモデル計算において示唆されているが、実際は両者がともに寄与する。
【００１４】
布地が大きな可撓性をもつ場合は、２個のみの有傾斜立毛領域を対として組合わせる場合には、図２および図３の例のように有傾斜立毛領域ａ（５ａ）と有傾斜立毛領域ｂ（５ｂ）で作用する２種の摩擦力が互いに布地（１）を引き延す向きに作用する様に有傾斜立毛領域ａ（５ａ）と有傾斜立毛領域ｂ（５ｂ）を配置するのが好ましい。２種の摩擦力が布地を圧縮する様に配置すると、両摩擦力は互いに打消し合うものの、布地を圧縮する方向に力が作用するため布地の可撓性により団塊化が発生することがあり得るからである。
【００１５】
複数の立毛の傾斜が異なる領域を形成するには複数の方法がある。布地の紡織工程において立毛の傾斜の向きを領域を区分して変更する方法、紡織後にプレス等により特定の領域の立毛に所望の傾斜方向を付与する方法、立毛が一定方向の傾斜をもつ布地を裁断し複数の裁断された布片を適宜組み合せて接続する方法などがある。
【００１６】
【発明の実施の形態】
本発明の実施の形態につき、図４に示した別の実施例で説明する。図４は、本発明になる電気暖房毛布（１００）の上面図である。
【００１７】
本例において、一片の布地（１）の一方の面は、有傾斜立毛領域ｐ（５ｐ）、有傾斜立毛領域ｑ（５ｑ）、有傾斜立毛領域ｒ（５ｒ）と有傾斜立毛領域ｓ（５ｓ）、有傾斜立毛領域ｔ（５ｔ）の５個の布片が縫製により接続されて構成されている。有傾斜立毛領域ｐ（５ｐ）、有傾斜立毛領域ｑ（５ｑ）、有傾斜立毛領域ｒ（５ｒ）は１個の群を形成しており、有傾斜立毛領域ｓ（５ｓ）、有傾斜立毛領域ｔ（５ｔ）は別の１個の群を形成している。２個の群は対を形成しており、双方の群の合計面積は合等しく、かつ、双方の群の立毛の傾斜の向きは図中の中抜き矢印が示すように互いに反対の向きである。また、布地（１）の他方の面も同様に構成されている。図４中では示されていないが布地（１）の内部には発熱体が備えられている。
【００１８】
この実施例における本発明の作用は前記の図２および図３の例と同様である。
【００１９】
【発明の効果】
以上の構成と作用から、本発明になる布地では、電気暖房毛布（１００）がカバーの内部や敷布団の上で移動したり団塊化する問題を解消し、発熱体（５０）の接近による局所的な高温化を回避する効果を得る。とりわけ、頻繁な洗濯ができないが故に汚れ防止用のカバー（１０１）を使用する場合に大きな実用的効果が得られる。
【００２０】
図５および図６に相対移動の発生しにくいカバーの例を示す。図５はカバー（１０１）の長手方向の中心線における断面を図６中のＳ方向より見た断面図、図６は当該例を図５中のＵ方向から見た上面図である。
【００２１】
図５において、カバー（１０１）は布製の袋状のカバー外皮（１０２）を備え、当該カバー外皮（１０２）の内面には例えばポリエチレンなどの合成樹脂などで製造される表面が平滑な減摩部材（１０３）が形成されている。図５中に、カバー（１０１）の内部に収容される被収容物（１１０）を想像線たる一点鎖線で示す。カバー外皮（１０３）の一方の長手方向の側部には、被収容物出入口（１１１）と、これを閉じる閉じ紐（１１２）が備えられている。
【００２２】
減摩部材（１０３）は、カバー外皮（１０２）を構成する布の表面にあらかじめ皮膜として形成しておくも、また、シート状または袋状のライニング部材として形成しカバー外皮（１０２）を袋状に成形した後に挿入するも可である。
【００２３】
減摩部材（１０３）の表面は平滑であり、被収容物（１１０）の立毛（３）の先端部との形状的な引っ掛かりが生じにくく、減摩部材（１０３）と被収容物（１１０）と摩擦係数は小さく、相対的の原因となる力は布の場合に比較して小さい。従って、被収容物（１１０）がカバー（１０１）内を図５の左方に移動してカバー（１０１）の左端に突き当った場合、可撓性をもつとはいえ被収容物（１１０）には少々の剛性があるので、前記の弱い力では被収容物（１１０）には団塊化や皺が発生しない。減摩部材（１０３）を毛布等とこれに接触する物体の間に介在させる構成は、敷布、布団などにも適用されうる。
【図面の簡単な説明】
【図１】従来の電気暖房毛布例のモデルの側面図
【図２】本発明になる電気暖房毛布例の断面図
【図３】本発明になる電気暖房毛布例の上面図
【図４】本発明の別の実施例たる電気暖房毛布の上面図
【図５】相対移動の発生しにくいカバー例の断面図
【図６】相対移動の発生しにくいカバー例の上面図
【符号の説明】
１  布地
３  立毛
５  有傾斜立毛領域
５０  発熱体
１００  電気暖房毛布
１０１  カバー
【図１】
2004237028.tif 000003
【図２】
2004237028.tif 000004
【図３】
2004237028.tif 000005
【図４】
2004237028.tif 000006
【図５】
2004237028.tif 000007
【図６】
2004237028.tif 000008